【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
NFC(Near Field Communication)により通信を行うことが可能な通信手段を有する情報処理装置であって、
前記情報処理装置を識別するための装置識別子と、前記情報処理装置に関する情報を他の装置において表示させることが可能なアプリケーションを特定するためのアプリケーション情報とを、前記通信手段を介して前記他の装置に送信する送信手段を有することを特徴とする情報処理装置。
【請求項２】
前記アプリケーション情報は、前記他の装置に前記アプリケーションを起動させるための情報であり
前記アプリケーションは、少なくとも前記装置識別子に関する情報を前記他の装置において表示させることが可能なアプリケーションであることを特徴とする請求項１に記載の情報処理装置。
【請求項３】
前記送信手段は、前記通信手段を介して、前記アプリケーションをダウンロードするための情報を前記他の装置に送信することを特徴とする請求項１または２に記載された情報処理装置。
【請求項４】
前記送信手段は、前記通信手段と介して、前記アプリケーションをインストールするための情報を前記他の装置に送信することを特徴とする請求項１から３のいずれか１項に記載された情報処理装置。
【請求項５】
前記送信手段により前記装置識別子と前記アプリケーション情報とを送信したことに応答して、前記通信手段を介して前記他の装置から応答を受信する受信手段を更に有することを特徴とする請求項１から４のいずれか１項に記載の情報処理装置。
【請求項６】
前記装置識別子によりプリンタが示される場合、前記アプリケーション情報により特定されたアプリケーションを用いて設定された印刷品質、カラーモード、印刷向き及び用紙サイズのうち少なくともいずれか一つを含む印刷設定を前記他の装置から受信する受信手段と、
前記受信した印刷設定に基づいて印刷を行う印刷手段とを更に有することを特徴とする請求項１から４のいずれか１項に記載された情報処理装置。
【請求項７】
NFC(Near Field Communication)により通信を行うことが可能な通信手段を有する情報処理装置であって、
他の装置を識別するための装置識別子と、起動すべきアプリケーションを特定するためのアプリケーション情報とを、前記通信手段を介して前記他の装置から受信する受信手段と、
前記受信したアプリケーション情報により特定されるアプリケーションを起動する起動手段と、
前記受信した装置識別子に関する情報を、前記起動手段により起動されたアプリケーションを用いて表示部に表示させる表示制御手段と、
を有することを特徴とする情報処理装置。
【請求項８】
NFC(Near Field Communication)により通信を行うことが可能な通信手段を有する情報処理装置であって、
他の装置を識別するための装置識別子と、起動すべきアプリケーションを特定するためのアプリケーション情報とを、前記通信手段を介して前記他の装置から受信する受信手段と、
前記受信したアプリケーション情報により特定されるアプリケーションを起動する起動手段と、
前記装置識別子によりプリンタが示される場合、印刷品質、カラーモード、印刷向き及び用紙サイズのうち少なくともいずれか一つを含む印刷設定を、前記起動手段により起動されたアプリケーションを用いて設定する設定手段と、
前記設定された印刷設定に基づいて印刷を行うよう前記他の装置に指示する指示手段と、
を有することを特徴とする情報処理装置。
【請求項９】
前記受信手段により前記アプリケーション情報が受信された場合、前記アプリケーション情報により特定されるアプリケーションがインストールされているか否かを判定する判定手段を有し、
アプリケーションがインストールされていると前記判定手段により判定された場合に、前記起動手段は、前記アプリケーション情報により特定されるアプリケーションを起動し、
アプリケーションがインストールされていると前記判定手段により判定されなかった場合に、前記情報処理装置は、前記アプリケーションのダウンロードサイトにアクセスすることを特徴とする請求項７または８に記載の情報処理装置。
【請求項１０】
前記送信手段は、前記通信手段と介して、さらに、前記情報処理装置の状態を示す情報を前記他の装置に送信することを特徴とする請求項１から６のいずれか１項に記載された情報処理装置。
【請求項１１】
前記通信手段を介して前記他の装置から取得された情報に従って、前記情報処理装置の状態を変更する変更手段とをさらに有することを特徴とする請求項１０に記載された情報処理装置。
【請求項１２】
前記変更された前記情報処理装置の状態において、前記情報処理装置の機能を実行する実行手段をさらに有することを特徴とする請求項１１に記載の情報処理装置。
【請求項１３】
前記変更手段は、前記通信手段を介して前記他の装置から取得された情報に従って、前記情報処理装置の状態を、エラー状態から当該エラー状態が回復される状態に変更することを特徴とする請求項１１または１２に記載の情報処理装置。
【請求項１４】
前記情報処理装置の状態は、操作画面、機能の実行状態、エラー状態、稼働状態、ハードウェアエラー及び描画エラーのうちのうち少なくとも一つを示すことを特徴とする請求項１０から１３のいずれか１項に記載の情報処理装置。
【請求項１５】
前記受信手段は、さらに、前記他の装置の状態を示す情報を、前記通信手段を介して前記他の装置から受信することを特徴とする請求項７から９のいずれか１項に記載された情報処理装置。
【請求項１６】
前記他の装置の状態を変更するための情報を、前記通信手段を介して前記他の装置に送信する送信手段をさらに有することを特徴とする請求項１５に記載の情報処理装置。
【請求項１７】
前記他の装置の状態は、操作画面の状態、機能の実行状態、エラー状態、稼働状態、ハードウェアエラー状態及び描画エラー状態のうちのうち少なくとも一つの状態であることを特徴とする１５または１６に記載の情報処理装置。
【請求項１８】
前記装置識別子に関する情報は、操作方法を解説するコンテンツ、設定方法を解説するコンテンツ、稼働状態を解説するコンテンツ、描画エラーの回復方法を選択するためのコンテンツ、ハードウェアエラーの発生部位を選択するためのコンテンツ及びエラー解消方法を解説するコンテンツのうち少なくとも一つを含む請求項２または７に記載された情報処理装置。
【請求項１９】
前記装置識別子は、モデル種別を示すことを特徴とする請求項１から１８のいずれか１項に記載された情報処理装置。
【請求項２０】
NFC(Near Field Communication)により通信を行うことが可能な通信手段を有する情報処理装置の制御方法であって、
前記情報処理装置を識別するための装置識別子と、前記情報処理装置に関する情報を他の装置において表示させることが可能なアプリケーションを特定するためのアプリケーション情報とを、前記通信手段を介して前記他の装置に送信する送信工程を有することを特徴とする情報処理装置の制御方法。
【請求項２１】
NFC(Near Field Communication)により通信を行うことが可能な通信手段を有する情報処理装置の制御方法であって、
他の装置を識別するための装置識別子と、起動すべきアプリケーションを特定するためのアプリケーション情報とを、前記通信手段を介して前記他の装置から受信する受信工程と、
前記受信したアプリケーション情報により特定されるアプリケーションを起動する起動工程と、
前記受信した装置識別子に関する情報を、前記起動工程において起動されたアプリケーションを用いて表示部に表示させる表示制御工程と、
を有することを特徴とする情報処理装置の制御方法。
【請求項２２】
NFC(Near Field Communication)により通信を行うことが可能な通信手段を有する情報処理装置の制御方法であって、
他の装置を識別するための装置識別子と、起動すべきアプリケーションを特定するためのアプリケーション情報とを、前記通信手段を介して前記他の装置から受信する受信工程と、
前記受信したアプリケーション情報により特定されるアプリケーションを起動する起動工程と、
前記装置識別子によりプリンタが示される場合、印刷品質、カラーモード、印刷向き及び用紙サイズのうち少なくともいずれか一つを含む印刷設定を、前記起動工程において起動されたアプリケーションを用いて設定する設定工程と、
前記設定された印刷設定に基づいて印刷を行うよう前記他の装置に指示する指示工程と、
を有することを特徴とする情報処理装置の制御方法。
【請求項２３】
近距離無線通信により通信を行うことが可能な通信手段を有する情報処理装置に備えられたコンピュータに、
前記情報処理装置を識別するための装置識別子と、前記情報処理装置に関する情報を他の装置において表示させることが可能なアプリケーションを特定するためのアプリケーション情報とを、前記通信手段を介して前記他の装置に送信する送信工程を実行させるためのプログラム。
【請求項２４】
NFC(Near Field Communication)により通信を行うことが可能な通信手段を有する情報処理装置に備えられたコンピュータに、
他の装置を識別するための装置識別子と、起動すべきアプリケーションを特定するためのアプリケーション情報とを、前記通信手段を介して前記他の装置から受信する受信工程と、
前記受信したアプリケーション情報により特定されるアプリケーションを起動する起動工程と、
前記受信した装置識別子に関する情報を、前記起動工程において起動されたアプリケーションを用いて表示部に表示させる表示制御工程と、
を実行させるためのプログラム。
【請求項２５】
NFC(Near Field Communication)により通信を行うことが可能な通信手段を有する情報処理装置に備えられたコンピュータに、
他の装置を識別するための装置識別子と、起動すべきアプリケーションを特定するためのアプリケーション情報とを、前記通信手段を介して前記他の装置から受信する受信工程と、
前記受信したアプリケーション情報により特定されるアプリケーションを起動する起動工程と、
前記装置識別子によりプリンタが示される場合、印刷品質、カラーモード、印刷向き及び用紙サイズのうち少なくともいずれか一つを含む印刷設定を、前記起動工程において起動されたアプリケーションを用いて設定する設定工程と、
前記設定された印刷設定に基づいて印刷を行うよう前記他の装置に指示する指示工程と、
を実行させるためのプログラム。
【手続補正２】
【補正対象書類名】明細書
【補正対象項目名】０００６
【補正方法】変更
【補正の内容】
【０００６】
本発明は、簡便な操作で、情報処理装置に関する情報を他の装置に表示可能にする、または情報処理装置の制御を他の装置において実行可能にすることを目的とする。
【手続補正３】
【補正対象書類名】明細書
【補正対象項目名】０００８
【補正方法】変更
【補正の内容】
【０００８】
すなわち、NFC(Near Field Communication)により通信を行うことが可能な通信手段を有する情報処理装置であって、前記情報処理装置を識別するための装置識別子と、前記情報処理装置に関する情報を他の装置において表示させるためのアプリケーションを特定するためのアプリケーション情報とを、前記通信手段を介して前記他の装置に送信する送信手段を有すること。
【手続補正４】
【補正対象書類名】明細書
【補正対象項目名】０００９
【補正方法】変更
【補正の内容】
【０００９】
本発明によれば、簡便な操作で、情報処理装置に関する情報を他の装置に表示可能にする、または情報処理装置の制御を他の装置において実行可能にすることができる。